(57)【要約】【課題】複数のパネル体を上下方向に連結してなる開閉体を用いてオーバーヘッド式ドアを構成するにあたり、引っ張り弾機を用いて開閉するものでありながら開閉体の開閉作動が円滑になるように構成する。【解決手段】複数のパネル体２を上下方向に連結してなるドア体１の両側部を、躯体開口部から天井部に沿うＬ字形のガイドレール５に移動自在にガイドさせる一方、ドア体１の両側部に、開閉機の自重にバランスさせた一対のバランス弾機１２の一端部をそれぞれ連結し、前記ドア体１両側部と一対のバランス弾機１２の一端部とのあいだにそれぞれ設けられる固定スプロケット１７とを、回転軸１９の両端部にそれぞれ一体的に固定して、回転軸１９と一体回転することにより同期させる構成とする。【選択図】図２
2007239221.tif 000002
【特許請求の範囲】
【請求項１】
複数のパネル体を上下方向に連結してなる開閉体の両側部を、躯体開口部から天井部に沿うＬ字形のガイドレールに移動自在にガイドさせるとともに、開閉体の両側部に、開閉体の自重にバランスさせた一対の引っ張り弾機の一端部をそれぞれ連結し、これら引っ張り弾機の付勢力を受けて開閉体の開閉作動がなされる建築用開閉装置において、前記開閉体両側部と一対の引っ張り弾機の一端部とのあいだに形成される一対の動力伝動経路には、互いの動力伝動状態を同期する同期手段が設けられている建築用開閉装置。
【請求項２】
一対の動力伝動経路を、一対の引っ張り弾機に連結されたチエンの一端部を屋内側に延出し、これら延出部を、屋内側の両側部に配され、チエンを所定速度で移送する一対のスプロケットに巻回させて屋外側に引き出して開閉体の両側部に至る構成とし、前記一対のスプロケットを同期手段により同期させる構成とした請求項１に記載の建築用開閉装置。
【請求項３】
同期手段は、一対のスプロケットとともに一体回転する回転軸で構成されている請求項１または２に記載の建築用開閉装置。
【請求項４】
各スプロケットと回転軸とは一体化手段を介してそれぞれ連結されるものとし、前記各一体化手段には、各スプロケットと回転軸との周回り方向の一体化位置を調整して開閉体の両側部の開閉姿勢を個別に調整する姿勢調整手段が設けられている請求項３に記載の建築用開閉装置。
【請求項５】
引っ張り弾機に連結されるチエンは、開閉体の開閉作動に伴いスプロケットを移送する範囲に設けられ、チエンの一端部と開閉体とのあいだはワイヤで連結されている請求項２乃至４の何れか一項に記載の建築用開閉装置。
【請求項６】
開閉体は、開閉機に連動連結されて開閉するものとし、開閉機の駆動力は開閉体の左右方向一側に偏寄して連動連結されている請求項１乃至５の何れか一項に記載の建築用開閉装置。
【請求項７】
開閉体は、開閉機に連動連結されて開閉するものとし、開閉機の駆動力は回転軸を介して開閉体に連動連結されている請求項１乃至６の何れか一項に記載の建築用開閉装置。
【発明の詳細な説明】
【技術分野】
【０００１】
本発明は、倉庫やガレージ等の建築物の開口部に設けられる建築用開閉装置の技術分野に属するものである。
【背景技術】
【０００２】
一般に、この種建築用開閉装置のなかには、左右方向に長いパネル体の複数を上下方向に連結してなる開閉体を、躯体開口部から天井部に沿って設けたＬ字形のガイドレールに移動自在にガイドさせるように構成した所謂オーバーヘッド式の開閉装置がある。このようなものにおいて、開閉体の開放作動を軽快なものにするため、開閉体に、該開閉体の自重にバランスされたバランス弾機を連結し、開閉体の閉鎖作動に基づいて付勢力を蓄勢し、開閉体の開放作動では前記付勢力を受けるようにしたものがあり、このような構成としては、従来、躯体開口部上方に一体固定した固定支軸にバランス弾機としてのねじり弾機を外嵌し、該ねじり弾機の一端を固定支軸に固定する一方、ねじり弾機の他端部を固定支軸に回動自在に設けられた巻き取りホイールに連結する一方、該巻き取りホイールに巻装される索条の遊端を、開閉体の最下端部に連結する構成としたものが提唱されている。しかるに、このようにした場合、開口部上方に固定支軸を設ける分、開口高さが低くなってしまうという問題があるうえ、開閉体の自重の変化に対するねじり弾機の付勢力の変化がバランスされない作動域が生じてしまうことがあり、このようになると、開閉作動の円滑性が損なわれるという問題がある。
【０００３】
この改善策として、オーバーヘッド式の開閉装置のバランス弾機として、付勢力の変化が直線的となる引っ張り弾機を用いたものが提唱されている。
【特許文献１】実開昭６４−５０５９４号公報
【発明の開示】
【発明が解決しようとする課題】
【０００４】
ところが、前記従来のものは、一対の引っ張り弾機の一端部が、開閉体の左右両側部にそれぞれ個別に連結し、各引っ張り弾機の他端部を躯体に固定する構成となっている。このため、開閉体を円滑に開閉作動させるためには、左右の引っ張り弾機の付勢力を均一にしなければならず、引っ張り弾機の調整が難しいという問題がある。さらには、開閉体を開閉操作する場合に、開閉体の左右方向中央部に開閉操作力が作用するのであれば、引っ張り弾機の付勢力が開閉体の左右に同じように作用することになって、開閉体の左右方向一方が先行して開閉してしまう、所謂肩下がり状態となるようなことはないが、開閉体の左右方向一方に片寄った操作力が作用すると、肩下がり状態となってしまうという問題もあり、これらに本発明の解決すべき課題がある。
【課題を解決するための手段】
【０００５】
本発明は、上記の如き実情に鑑みこれらの課題を解決することを目的として創作されたものであって、請求項１の発明は、複数のパネル体を上下方向に連結してなる開閉体の両側部を、躯体開口部から天井部に沿うＬ字形のガイドレールに移動自在にガイドさせるとともに、開閉体の両側部に、開閉体の自重にバランスさせた一対の引っ張り弾機の一端部をそれぞれ連結し、これら引っ張り弾機の付勢力を受けて開閉体の開閉作動がなされる建築用開閉装置において、前記開閉体両側部と一対の引っ張り弾機の一端部とのあいだに形成される一対の動力伝動経路には、互いの動力伝動状態を同期する同期手段が設けられている建築用開閉装置である。
請求項２の発明は、一対の動力伝動経路を、一対の引っ張り弾機に連結されたチエンの一端部を屋内側に延出し、これら延出部を、屋内側の両側部に配され、チエンを所定速度で移送する一対のスプロケットに巻回させて屋外側に引き出して開閉体の両側部に至る構成とし、前記一対のスプロケットを同期手段により同期させる構成とした請求項１に記載の建築用開閉装置である。
請求項３の発明は、同期手段は、一対のスプロケットとともに一体回転する回転軸で構成されている請求項１または２に記載の建築用開閉装置である。
請求項４の発明は、各スプロケットと回転軸とは一体化手段を介してそれぞれ連結されるものとし、前記各一体化手段には、各スプロケットと回転軸との周回り方向の一体化位置を調整して開閉体の両側部の開閉姿勢を個別に調整する姿勢調整手段が設けられている請求項３に記載の建築用開閉装置である。
請求項５の発明は、引っ張り弾機に連結されるチエンは、開閉体の開閉作動に伴いスプロケットを移送する範囲に設けられ、チエンの一端部と開閉体とのあいだはワイヤで連結されている請求項２乃至４の何れか一項に記載の建築用開閉装置である。
請求項６の発明は、開閉体は、開閉機に連動連結されて開閉するものとし、開閉機の駆動力は開閉体の左右方向一側に偏寄して連動連結されている請求項１乃至５の何れか一項に記載の建築用開閉装置である。
請求項７の発明は、開閉体は、開閉機に連動連結されて開閉するものとし、開閉機の駆動力は回転軸を介して開閉体に連動連結されている請求項１乃至６の何れか一項に記載の建築用開閉装置である。
【発明の効果】
【０００６】
請求項１の発明とすることにより、開閉体が肩下がりするようなことなく、円滑な開閉作動の開閉装置とすることができる。
請求項２の発明とすることにより、部材の兼用化が果せて構造の簡略化を図れる。
請求項３の発明とすることにより、回転軸が開口部の邪魔をすることがなく、開口高さを大きく確保できる。
請求項４の発明とすることにより、開閉体の姿勢調整を簡単に行うことができる。
請求項５の発明とすることにより、開閉体にチエンが干渉しないように構成できて、開閉体の保護を図ることができる。
請求項６の発明とすることにより、開口部に部材が集中することがなく、開口部を大きく確保することができるうえ、開閉機によるブレーキ機能が開閉体の左右方向何れの箇所にも作用して犯性が向上する。
請求項７の発明とすることにより、開閉体が肩下がりするようなことなく、円滑な開閉作動の開閉装置とすることができるうえ、省スペース化を図れる。
【発明を実施するための最良の形態】
【０００７】
つぎに、本発明の実施の形態の一例について図面に基づいて説明する。
図中、１は建築用開閉装置であるオーバーヘッド式ドアを構成するドア体（開閉体）であって、該ドア体１は、複数のパネル体２を上下方向に連結して構成されており、本実施の形態のドア体１は、後述するように、複数のパネル体２を、左右端部および左右方向中間部においてそれぞれ第一、第二連結部材３、４を介して連結されており、これによって、パネル体２同士のあいだが折曲自在となるように構成されている。
【０００８】
一方、５は開口部を構成する躯体両側部に固定される一対のガイドレールであって、開口部両側に沿う垂直部５ａと、天井部に沿う水平部５ｂと、前記垂直部５ａと水平部５ｂとのあいだに位置するコーナー部５ｃとを備えて略Ｌ字形となる状態で一体的に形成されている。そして、これらガイドレール５に、ドア体１の左右両側縁部に軸承された複数のガイドローラ６がそれぞれ抜け止め状に係止するように構成され、これによって、ドア体１はガイドレール５の移動案内を受ける（ガイドされる）ように設定されており、これら基本的な作動構成は従来通りとなっている。
【０００９】
前記ドア体１の各パネル体２は、上縁部に位置して屋内側方向下側に向けて折り返された上側折り返し片部２ａが形成され、下縁部に位置して屋内側方向上側に向けて折り返されたものがさらに下方に向けて折り返された下側折り返し片部２ｂが形成され、各折り返し片部２ａ、２ｂと、パネル体２の屋内側面とのあいだに上側空隙部ＵＳと下側空隙部ＤＳとが形成されている。これら各パネル体２は、屋内側面の左右両端部に第一連結部材３を、左右方向中間部に第二連結部材４をそれぞれ設けることにより、隣接するパネル体２との折曲自在な連結がなされるように設定されている。尚、これら第一、第二連結部材３、４は、それぞれ樹脂材を一体成形したもので構成されており、第一連結部材３については、左右勝手違いのものが左右端部にそれぞれ設けられている。
【００１０】
前記第一連結部材３は、上下端部位が左右方向外方（パネル体２の左側端部に装着され第一連結部材３は左側、右側端部に装着されるものは右側）に突出した形状となっており、上下縁部には、パネル体２の上下側空隙部ＵＳ、ＤＳに内嵌される上下側嵌合片部３ａ、３ｂが形成されている。さらに、上端部には屋内側に突出する状態で連結片３ｃが形成され、下端部には二股状に分岐する連結受け片３ｄが屋内側および下方に突出する状態で形成されている。また、第一連結部材３は、上端部に位置してガイドレール５に係止するガイドローラ６の軸部６ａを抜け止め状に支持するための支持孔３ｅが形成されている他、上下端部の左右方向外端縁部に位置して係止爪３ｆ、３ｇが形成されている。これら係止爪３ｆ、３ｇは屋内外方向への弾性変形が可能な状態で形成され、パネル体２に開設された上下の係止受け孔２ｃ、２ｄにそれぞれ係合するように組み込むことで、第一連結体３がパネル体２に対して一体的に装着されるように設定されている。このとき、第一連結部材３は、上下側嵌合片部３ａ、３ｂをパネル体２の上下側空隙部ＵＳ、ＤＳの左右方向外方にあてがい、第一連結部材３をスライドさせることで一体的な装着がなされるように構成されており、該装着時において、係止爪３ｆ、３ｇが弾性変形して係止受け孔２ｃ、２ｄとの係合を自動的に行うようになっており、これによって、第一連結部材３はパネル体２から抜け止めがなされた状態で装着されるように設定されている。
【００１１】
また、パネル体２の左右方向中間部を連結する第二連結部材４は、パネル体２の左右幅によっては必ずしも装着する必要のある部材ではないが、該第二連結部材４は、パネル体２に形成される上下側空隙部ＵＳ、ＤＳの下または上側半部に内嵌される上下側嵌合片４ａ、４ｂが形成されているとともに、上端部には連結片４ｃが屋内側に突出する状態で形成され、下端部には二股状に分岐する連結受け片４ｄが屋内側に突出し、かつ、下方に突出する状態で形成されている。また、第二連結部材４は、左右一対の連結受け片４ｄが分岐する部位の屋外側面に位置決め突部４ｅが形成されており、該位置決め突部４ｅを、パネル体２の下側折り返し片部２ｂに形成された貫通孔２ｅに嵌入させることで、パネル体２に対する位置決め、そして、外れ止め（抜け止め）がなされるように構成されている。
このように構成された第二連結部材４は、上下側嵌合片部４ａ、４ｂをパネル体２の上下側空隙部ＵＳ、ＤＳの左右方向中央部位において屋内外方向に対向せしめ、第二連結部材４を屋外側に向けて押し込むことで上下側嵌合片部４ａ、４ｂが弾性変形して装着されるように構成されており、該装着時に、位置決め突部４ｅをパネル体２の貫通孔２ｅに嵌入させることによって、第二連結部材４のパネル体２への位置決めとともに、抜け止めがなされるように設定されている。
【００１２】
そして、パネル体２に装着された第一連結部材３同士は、下側に位置するパネル体２側の連結片３ｃを、上側に位置するパネル体２側の連結受け片３ｄの二股間に嵌入させ、これらを連結ピン３ｈを用いて連結することにより、第一連結部材３同士の揺動自在な連結がなされるように設定されている。
また、パネル体２に装着された第二連結部材４同士は、下側に位置するパネル体２側の連結片４ｃを、上側に位置するパネル体２側の連結受け片４ｄの二股間に嵌入させ、これらを連結ピン４ｆを用いて連結することで、第二連結部材４同士の揺動自在な連結がなされるように設定されている。このように、第一、第二連結部材３、４を介して一連状となったパネル体２は、隣接するパネル体２同士のあいだが揺動自在（折曲自在）となるように構成されている。
【００１３】
また、前記左右一対のガイドレール５のうち、一方（本実施の形態では、図１の図面において向かって左側）のガイドレール水平部５ｂの屋内側端部には、開閉機７が配されるが、該開閉機７は、左側のガイドレール水平部５ｂの左右方向内側面と天井面とを介して躯体に一体固定されている。
前記開閉機７は、電動モータ（図示せず）の正逆回転駆動に伴い正逆回転する螺軸７ａが屋外側に向けて延設される構成となっており、前記螺軸７ａは、開閉機７の屋外側端部から開口部側である屋外側を向き、左側のガイドレール水平部５ｂの内側に隣接する状態で伸長する走行レール８により回転自在に支持されている。そして、前記螺軸７ａには、移動体９が回り止め状に螺合されており、これによって、電動モータの駆動がなされることにより螺軸７ａが正逆回転することに基づいて、螺軸７ａ上を移動体９が屋内外方向に強制移動するように設定されている。そして、開閉機７の駆動力を受ける移動体９の屋外側端には、連結体９ａが揺動自在に連結されており、該連結体９ａが、ドア体１の上端部に連結され、両端部がガイドレール５に移動ガイドされる角形状のパイプ材１ａの左側に連結されている。これによって、開閉機７の正逆駆動に伴う移動体９の屋内外方向の移動に伴いドア体１の左側部位が強制移動せしめられ、ドア体１は、ガイドレール垂直部５ａに位置して開口部の閉鎖をする全閉姿勢と、ガイドレール水平部５ｂに位置して開口部の開放をする全開姿勢とのあいだを開閉作動するように設定されている。
【００１４】
一方、前記左右一対のガイドレール５の水平部５ｂの下方には、屋内外方向に長いケース体１０が下片５ｄに固定される状態でそれぞれ一体的に設けられている。これらケース体１０のうち、左側に位置するケース体１０の屋外側端部には支持プレート１１が一体的に配されており、該支持プレート１１に、開閉機７から屋外側に延出する走行レール８と螺軸７ａとの屋外側端部がそれぞれ支持されている。
前記左右のケース体１０は、ガイドレール水平部５ｂと略同形状であるが、それぞれ左右方向内側が開口するように形成されており、各ケース体１０の屋外側部位に位置してコイル状に形成された引っ張り弾機に相当するバランス弾機１２が屋内外方向を向く状態でそれぞれ収容されている。前記各バランス弾機１２の屋外側端部（本発明の引っ張り弾機の他端部に相当する）１２ａは、ケース体１０の屋外側端面１０ａ（躯体側）に固定される一方、屋内側端部１２ｂ（本発明の引っ張り弾機の一端部に相当する）には、後述する可動スプロケットユニット１３がそれぞれ連結されている。前記各可動スプロケットユニット１３は、可動スプロケット１４が回転自在に軸承される構成となっており、これら可動スプロケットユニット１３は、バランス弾機１２の伸縮作動に伴い可動スプロケット１４とともにケース体１０内を屋内外方向に移動するように設定されている。
【００１５】
ここで、可動スプロケットユニット１３は、バランス弾機１２に連結される連結部１３ａから屋内側に二股状に延出する一対の支持片部１３ｂを備え、これら支持片部１３ｂの対向間に貫通状に配された固定軸１３ｃに、可動スプロケット１４が回転自在に軸承されている。さらに、前記固定軸１３ｃは、一対の支持片部１３ｂを貫通して貫通先端部が外部に突出しており、該貫通先端部に、支持片１３ｂの外径寸法より長い外径に設定された円形状の走行体１３ｄが設けられている。一方、ケース体１０の下片１０ｂの左右両端部には、前記走行体１３ｄが左右方向の移動規制を受けながら走行するための走行ガイド部１０ｃが一体形成されている。そして、可動スプロケットユニット１３は、バランス弾機１２が伸縮することに連動して移動する場合に、走行体１３ｄが走行ガイド部１０ｃに沿って屋内外方向にスライド移動することにより、可動スプロケット１４の姿勢を、所定の起立姿勢に安定的に維持した状態として移動することができるように構成されており、これによって、バランス弾機１２が不用意に回転するような不具合を防止するように構成されている。
そして、前記各可動スプロケット１４は、外周にそれぞれ同数の歯体１４ａを有して構成されおり、これら各可動スプロケット１４に、各バランス弾機１２の屋内側端部１２ｂとドア体１の左右側部とを連結して動力伝動経路を構成する索条１５のチエン１５ａで構成される部位が巻回されている。前記各索条１５の基端部１５ｂは、それぞれ各ケース体１０の屋内側端部（躯体側）に固定される一方、索条１５の他端部（本発明の引っ張り弾機の一端部に相当する）であって、チエン１５ａで構成される部位の他端部は、可動スプロケット１４に巻回（噛合）されて屋内側に延出するように設定されており、これによって、可動スプロケット１４はチエン１５ａに引っ張り力が作用したときにバランス弾機１２に対して動滑車として機能するように構成されている。
【００１６】
一方、１６は、左右のガイドレール水平部５ｂおよびケース体１０の屋内側端部にそれぞれ一体的に設けられた固定スプロケットユニットであって、これら各固定スプロケットユニット１６には、互いに同数の歯体１７ａを有した固定スプロケット１７（本発明のスプロケットに相当する）がそれぞれ設けられており、定滑車としての機能を果すように構成されている。そして、固定スプロケット１７に、前記各可動スプロケット１４に巻回されたチエン１５ａの屋内側への延出部がそれぞれ巻回（噛合）されることにより、各チエン１５ａの延出部を、ガイドレール水平部５ｂ内の上方部位を経由して屋外側に引き出されるように設定されている。このように屋外側に引き出された索条１５の引き出し端部１５ｃは、開口部上方に配された案内プーリ１５ｄに巻回され、ドア体１の屋外側部位を経由して最下端に位置する最下端パネル体２Ｄの左右両端部にそれぞれ連結されることにより、ドア体１とバランス弾機１２との動力伝動経路が構成されており、ドア体１の荷重を、定滑車としての機能を備えた固定スプロケット１７、動滑車としての機能を備えた可動スプロケット１４を介してバランス弾機１２が受けるように構成されている。これによって、ドア体１には、前述したように、開閉機７の駆動力に基づく開閉作動力が作用するとともに、バランス弾機１２の付勢力が作用し、ドア体１の軽快な開閉作動がなされるように構成されている。
尚、ドア体１とバランス弾機１２とのあいだに設けられる可動スプロケット１４は動滑車として機能することにより、ドア体１の開閉ストロークに対しバランス弾機１２の伸縮ストロークを半分にすることができ、部材装置のコンパクト化が図れるように構成されている。
【００１７】
ここで、前記索条１５のうち、ドア体１の開閉作動の過程で可動、固定スプロケット１４、１７を巻回する範囲はチエン１５ａで構成され、該チエン１５ａが可動、固定スプロケット１４、１７の歯体１４ａ、１７ａに噛合するように構成されている。そして、索条１５の基端部１５ｂであって、躯体屋内側部位に固定される部分は鎖部（以降、鎖部１５ｂとする）で構成されている。さらに、索条１５の先端部であって、最下端パネル体２Ｄに連結される引き出し端部１５ｃはワイヤ部（以降、ワイヤ部１５ｃとする）で構成されており、これによって、ドア体１とチエン１５ａとが干渉することがなく、チエン１５ａがドア体１を擦って損傷させるような不具合を防止し、ドア体１の保護を図るように構成されている。
そして、前記チエン１５ａと鎖部１５ｂとのあいだは第一連結部材１５ｅを介して連結されており、第一連結部材１５ｅが、ケース体下片１０ｂに形成されたガイド凹部１０ｄにスライド移動自在にガイドされることにより、チエン１５ａの姿勢を所定の起立姿勢に維持できるように設定されている。また、チエン１５ａとワイヤ１５ｃとのあいだは第二連結部材１５ｆを介して連結されており、該第二連結部材１５ｆは、下方に矩形状のスライド体１５ｇが一体的に設けられており、該スライド体１５ｇがガイドレール水平部５ｃの下片５ｄをスライド移動することにより、チエン１５ａの姿勢を前記所定の起立姿勢に維持するように設定されている。
尚、１５ｈは、ケース体１０屋内側端部の上部に設けられたチエンガイドであって、チエン１５ａに弛みが発生したときに、チエン１５ａが垂下するのを防止するように設定されている。また、１０ｅは、ケース体１０の左右方向内側に形成された開口を塞ぐカバー体であって、該カバー体１０ｅは、着脱自在に設けられ、カバー体１０ｅを取り外すことにより、バランス弾機１２や索条１５のメンテナンスを行えるように構成されている。
【００１８】
一方、前記左右の固定スプロケットユニット１６は、それぞれ屋内外、そして、左右の四側面を有した取り付けボックス１６ａを備えて構成されており、該取り付けボックス１６ａの屋外側面が、左右のケース体１０の屋内側端部にそれぞれ一体的に固定されている。そして、各取り付けボックス１６ａの左右側面の対向間に、それぞれ回転支軸１６ｂが回動自在に軸承されており、これら各回転支軸１６ｂに、前記各固定スプロケット１７が軸方向の移動規制がなされ、かつ、回転支軸１６ｂと一体回転する状態で外嵌されている。さらに、前記各回転支軸１６ｂは、取り付けボックス１６ａの左右方向内側の側面から内方（互いに近接する方向）に向けてそれぞれ突出しており、これら各突出端に、本発明の一体化手段を構成する第一円板１８がそれぞれ回転支軸１６ｂとの相対回転を規制される状態で一体的に設けられている。これによって、各固定スプロケットユニット１６に配される第一円板１８と固定スプロケット１７とは、一体に回転するように設定されている。そして、前記各第一円板１８には、円板面に周回り方向に長い長孔１８ａが、所定の角度間隔を存して周回り方向二箇所に開設されている。
【００１９】
そして、１９は本発明の同期手段を構成する回転軸であって、該回転軸１９は、左右の固定スプロケットユニット１６の対向間に配されるものであり、回転軸１９の両端部には、本発明の一体化手段を構成し、前記第一円板１８と同様の外径寸法に形成された第二円板２０が、それぞれ回転軸１９との相対回転を規制される状態で一体的に設けられており、各第二円板２０は、回転軸１９と一体に回転するように設定されている。また、これら第二円板２０の各円板面には、前記第一円板１８の長孔１８ａ形成部位に対向して円形状のボルト孔２０ａが開設されている。
そして、回転軸１９を左右の固定スプロケットユニット１６の対向間に延出させ、各固定スプロケットユニット１６の第一円板１８と、回転軸１９両端部の第二円板２０とをそれぞれ当接させ、この状態において、左右の第一、第二円板１８、２０の長孔１８ａとボルト孔２０ａとをそれぞれ連通させてボルト−ナット２１、２１ａにより締結することで、一対の固定スプロケットユニット１６に配された第一円板１８と、回転軸１９両端に設けられた第二円板２０とが一体化されるように設定されている。そして、開閉機７の駆動力に基づいてドア体１に開閉作動力が作用することに伴い回転軸１９が回転し、左右の固定スプロケットユニット１６の固定スプロケット１７同士を回転軸１９の回転と一体回転させることにより、左右の固定スプロケット１７同士を同期した状態で回転させるように設定され、これによって、これら固定スプロケット１７に噛合する左右のチエン１５ａが同様の速度で移送されるように設定されている。
これによって、開閉機７の駆動力に基づいて強制移動する移動体９が、ドア体１を開閉操作することに基づいて、ドア体１は、バランス弾機１２の付勢力を受ける状態で開閉作動する場合に、開閉機の開閉駆動力は、ドア体１の左側に偏寄してドア体１を強制移動せしめたとしても、ドア体１下端部の左右両側に連結する一対の索条１５のチエン１５ａ部分がそれぞれ互いに同期する固定スプロケット１７により移送されることにより、ドア体１の左右側部の開閉が同様の開閉状態になって、ドア体１の左右何れか一方の開閉作動が遅れてしまう、所謂肩下がり状態になることがなく、軽快、かつ、円滑な開閉作動を行えるように構成されている。
【００２０】
ところで、前記開閉装置を開口部に設置したときや、長期の使用でチエン１５ａ等に伸びが生じたような場合に、ドア体１の下端部が床面に対して平行でなく傾斜状になって、ドア体１を全閉姿勢としてもドア体１の左右何れか一方と床面とのあいだに隙間ができてしまうことがある。このようになると、同期手段を介して開閉作動を行ったとしても、ドア体１が傾斜状のままで前記隙間が解消されることはない。これに対し、本実施の形態の同期手段には姿勢調整手段が設けられていて、ドア体１と床面とのあいだに隙間が形成された場合に、該隙間をなくすことができるよう、ドア体１の開閉姿勢を姿勢調整する姿勢調整手段が設けられている。
【００２１】
前記姿勢調整手段は、本発明の一体化手段に相当する固定スプロケット１７側の第一円板１８と回転軸１９側の第二円板２０との連結状態であって、固定スプロケット１７と回転軸１９との周回り方向の一体化位置の調整を行うことに基づいてなされている。
ドア体１を全閉姿勢としたとき、ドア体１の右側部位が床面に当接し、左側部位が床面から離間しているような場合に、例えば、左側に位置する第一、第二円板１８、２０を一体化するボルト−ナット２１、２１ａによる緊締を解除し、該左側の固定スプロケット１７を回転軸１９から自由な状態とし、この状態において、固定スプロケット１７を回転させて歯体１７ａに噛合しているチエン１５ａを屋外側に移送して、ドア体１の閉鎖位置の位置調整を実施する。そして、前記位置調整をした状態の第一円板１８の長孔１８ａと、第二円板ボルト孔２０ａとを連通させ、ボルト−ナット２１、２１ａを貫通せしめて緊締して第一、第二円板１８、２０とを一体化することにより、ドア体１の左側の開閉位置を調整できるように設定されている。そして、このように位置調整がなされた後は、固定スプロケット１７同士の同期した回転がなされることに基づいて、ドア体１が肩下がりのない状態で開閉するように設定されている。
【００２２】
叙述の如く構成された本形態において、ドア体１は、開閉機７の正逆駆動に伴い、開口部両側に設けられたガイドレール５の案内を受けて開口部の開閉作動をするが、ドア体１の左右両側部には一対のバランス弾機（引っ張り弾機）１２の屋内側端部１２ｂがそれぞれ連結されていて、ドア体１は、これらバランス弾機１２の付勢力を受ける状態で開閉作動がなされる場合に、ドア体１の自重に対するバランス弾機１２の付勢力変化が一致して、円滑な開閉作動が実現する。そして、このものでは、ドア体１の左右両側部と一対のバランス弾機１２とのあいだに形成される左右の動力伝動経路に同期手段が設けられているので、ドア体１に作用する開閉操作力が左右方向に偏って作用したとしても、ドア体１の一側部が肩下がりして、ドア体１の下端部が傾斜した状態で開閉するような不具合がなく、ガイドレール５を円滑、かつ、軽快に開閉作動するオーバーヘッド式のドア体１とすることができる。
【００２３】
そのうえ、本発明が実施されたものにあっては、各バランス弾機１２から屋内側に引き出された索条１５のチエン１５ａ部位を、ドア体１の左右両側部に連結するべく屋外側に引き回すために必要な屋内側の両側部に設けられる一対の固定スプロケット１７に噛合させ、これら固定スプロケット１７同士を同期させる構成としたので、部材の兼用化が果せて構造の簡略化を図れる。
【００２４】
しかも、このものでは、固定スプロケット１７同士の同期をするための部材として、左右方向に長い回転軸１９を用いているが、該回転軸１９は、屋内側に設けられるので、開口部の邪魔をすることがなく、開口高さを大きく確保することが可能となる。
【００２５】
また、このものにおいて、左右一対の固定スプロケット１７と回転軸１９の左右両端部との一体化を、第一、第二円板１８、２０を介して連結（一体化）される構成とし、これらのあいだに姿勢調整手段が設けられているので、ドア体１の左右一方が肩下がり状態となっているような場合に、何れか一方の固定スプロケット１７と回転軸１９との一体化を解除して、固定スプロケット１７を自由状態として回転させることにより容易に調整することができる。
【００２６】
さらに、このものにおいて、動力伝動経路を構成する索条１５のうち、同期手段を構成するために必要となるチエン１５ａは、ドア体１の開閉作動の過程において固定、可動スプロケット１４、１７を移送される部位にのみ配し、ドア体１と干渉する部位についてはワイヤ１５ｃで構成したので、ドア体１を損傷してしまうことがなく、ドア体１の保護を図ることができる。
【００２７】
そのうえ、このものでは、開閉操作力をドア体１に付与する手段を開閉機７とすることにより自動的な開閉を行えるようにして操作性を改善することができるものであるが、さらに、開閉機７は屋内側の左側部位に設けられ、ドア体１の左側部位を強制変位させるべく連動連結されるため、開閉機７や、開閉機７に設けられる走行レール８や、ドア体１に連結される移動体９等の部材が左側に偏寄して設けられることになって、開口部の邪魔にならず、開口部を大きく確保することができる。そのうえ、開閉機７の駆動停止時には、出力軸がロックされることからドア体１の開放を規制するが、ドア体１の左右方向一方に片寄って開閉機７を設けた場合では、ドア体１の他方側部位が開放されてしまう惧れがある。しかるに、このものでは、左右の動力伝動経路が同期しているため、ドア体１の左右方向何れの箇所が持ち上げられたとしても開放規制がなされて、ドア体１の閉鎖時に不法侵入されることを防止できて防犯性が向上する。
【００２８】
尚、本発明は前記実施の形態に限定されないことは勿論であって、図１２、１３に示す第二の実施の形態のように構成することも可能である。
第二の実施の形態のオーバーヘッド式ドアのドア体１は、前記実施の形態のドア体１と全く同様であり、ドア体１とバランス弾機とのあいだに形成される動力伝動経路も同様の構成となっており、これらの構成については、同様の符号を付すことで説明を省略する。そして、動力伝動経路を同期するべく設けられる回転軸２２と、固定スプロケットユニット１６との連結構成も前記実施の形態と同様の構成となっている。そして、このものにおいて、開閉機２３は屋内側における天井部の左側部位に偏寄して設けられており、該開閉機２３の出力軸（駆動軸）２３ａに駆動スプロケット２３ｂが一体的に設けられている。一方、回転軸２２には、左側に位置して前記駆動スプロケット２３ｂに対向して従動スプロケット２２ａが一体的に外嵌されており、駆動スプロケット２３ｂと従動スプロケット２２ａとにチエン２３ｃを巻回することにより、開閉機２３の駆動力が回転軸２２に連動連結される構成となっている。そして、開閉機２３が駆動することに伴い回転軸２２が回転し、これによって、ドア体１の開閉作動がなされるように構成されている。そして、この場合でも、左右の動力伝動経路が回転軸２２により同期されて、ドア体１の円滑、かつ、軽快な開閉がなされ、しかも、開閉機２３、回転軸２２が開口部の邪魔にならないようにできることは、前記実施の形態と同様である。
さらに、このように構成した場合では、回転軸２２を直接開閉機２３が回転駆動させるので、前記第一の実施の形態のように移動体や移動体が走行するための走行レール等の部材が不要となって、省スペース化を図れるばかりでなく、部材構成の簡略化を図ることができる。
【００２９】
また、同期手段は、一対の屋内側に配される固定スプロケット同士を同期させることに限定されることはなく、引っ張り弾機と開閉体とのあいだに配される索条を開閉体に連結するべく開口部側に誘導するため、開口部上方の左右力側部に設けられる一対の案内プーリをそれぞれ案内スプロケットとする一方、開閉体に連結される一対の索条をチエンとし、該チエンを案内スプロケットに巻回する構成とし、これら一対の案内スプロケット同士を同期させる構成としてもよい。
さらには、チエンに換えて歯付きベルト（タイミングベルト）を用い、スプロケットに換えてタイミングプーリを用いる構成することも可能である。
【図面の簡単な説明】
【００３０】
【図１】オーバーヘッド式ドアの概略斜視図である。
【図２】オーバーヘッド式ドアの一部を切り欠いた平面図である。
【図３】オーバーヘッド式ドアの一部を切り欠いた側面図である。
【図４】図４（Ａ）、（Ｂ）、（Ｃ）はそれぞれパネル体の背面図、側面図、図４（Ａ）のＸ−Ｘ断面図である。
【図５】図５（Ａ）、（Ｂ）はそれぞれガイドレール部の側面図、ケース体のカバー体の側面図である。
【図６】図６（Ａ）、（Ｂ）、（Ｃ）はそれぞれ図５（Ａ）の左側面図、図５（Ａ）のＸ−Ｘ断面図、図５（Ａ）のＹ−Ｙ断面図である。
【図７】図７（Ａ）、（Ｂ）はそれぞれ図５（Ａ）の一部平面図、右側面図である。
【図８】図８（Ａ）、（Ｂ）、（Ｃ）はそれぞれ固定スプロケットユニットの側面図、正面図、側面図である。
【図９】図９（Ａ）、（Ｂ）はそれぞれ回転軸の正面図、側面図である。
【図１０】図１０（Ａ）、（Ｂ）はそれぞれ要部の拡大した平面図、図１０（Ａ）のＸ−Ｘ断面図である。
【図１１】第二の実施の形態のオーバーヘッド式ドアにおける一部を切り欠いた平面図である。
【図１２】第二の実施の形態のオーバーヘッド式ドアにおける一部を切り欠いた側面断面図である。
【符号の説明】
【００３１】
１    ドア体
２    パネル体
３    第一連結部材
４    第二連結部材
５    ガイドレール
５ｉ    投入口
７    開閉機
８    走行レール
９    移動体
１０    ケース体
１２    バランス弾機
１３    可動スプロケットユニット
１４    可動スプロケット
１５    索条
１５ａ    チエン
１６    固定スプロケットユニット
１７    固定スプロケット
１８    第一円板
１８ａ    長孔
１９  回転軸
【図１】
2007239221.tif 000003
【図２】
2007239221.tif 000004
【図３】
2007239221.tif 000005
【図４】
2007239221.tif 000006
【図５】
2007239221.tif 000007
【図６】
2007239221.tif 000008
【図７】
2007239221.tif 000009
【図８】
2007239221.tif 000010
【図９】
2007239221.tif 000011
【図１０】
2007239221.tif 000012
【図１１】
2007239221.tif 000013
【図１２】
2007239221.tif 000014